(57)【要約】【課題】底部にオイル溜を有する密閉容器内に、電動機およびこの電動機と連結されるロータリ式の圧縮機構部を収容し、上記圧縮機構部で圧縮したガスを一旦密閉容器内に吐出して容器内高圧とするロータリ式密閉型圧縮機において、前記電動機と圧縮機構部を連結する回転軸内部に取付けられたオイルブレードによってオイルを吸い上げ、回転軸中間に空けられた給油孔から軸受部にオイルを供給するものにおいて、異物の噛み込みなどによるオイルブレードの変形や脱落が発生し、これによりオイルの供給不足を引き起こし、摺動部の磨耗促進や焼き付などの問題があった。【解決手段】オイルブレードなどの追加部品を使用せずにオイルを供給するために、シャフト内部にらせん状のオイル溝を設けた。【選択図】図１
2009150249.tif 000002
【特許請求の範囲】
【請求項１】
底部にオイル溜を有する密閉容器内に電動機と圧縮機構部を備え、さらに電動機による回転力を圧縮機構部に伝える回転軸とが収納され、前記回転軸の一端がオイル溜のオイル中に浸漬し、回転軸中間に設けられた給油孔から、圧縮機の摺動部にオイルを供給する密閉型圧縮機であって、前記回転軸内部にらせん状のオイル溝を設けたことを特徴とする密閉型圧縮機。
【請求項２】
塩素を含まないＨＣＦＣやＨＦＣ等を冷媒とした請求項１記載の密閉型圧縮機。
【請求項３】
二酸化炭素やアンモニア、ヘリウム等の自然冷媒を冷媒とした請求項１記載の密閉型圧縮機。
【請求項４】
ナフテン油、パラフィン油、アルキルベンゼン油などの天然物あるいは天然物由来のオイル、およびポリエーテル系油、ポリオールエステル系油などの合成オイル、または上記天然物あるいは天然物由来のオイルと合成オイルの混合オイルを使用した請求項１記載の密閉型圧縮機。
【請求項５】
オイルに、ベンゾトリアゾールなどの銅不活性化剤、硫黄系極圧添加剤、ハロゲン系極圧添加剤、りん系極圧添加剤、有機金属化合物系極圧添加剤、およびこれらの組み合わせからなる極圧添加剤を配合した請求項１記載の密閉型圧縮機。
【発明の詳細な説明】
【技術分野】
【０００１】
本発明は、底部にオイル溜を有する密閉容器内に電動機部と圧縮機部を備え、さらに電動機による回転力を圧縮機部に伝える回転軸とが収納され、前記回転軸の一端がオイル溜のオイル中に浸漬し、回転軸中間に設けられた連通孔から、圧縮機の摺動部にオイルを供給する給油孔を有している密閉型圧縮機の構造に関するものである。
【背景技術】
【０００２】
従来、一般の密閉型圧縮機の給油装置は、鉄板や鉄パイプなどをプレス絞り加工して形成される筒状のオイルブレードと薄板を加工して形成されるパドルとで構成されるオイルポンプ部材を回転軸の下端に圧入して取付け、回転軸の回転により生じる遠心力を利用してオイルを各摺動部に供給している（特許文献１  参照）。しかし、異物の噛み込みなどによるオイルブレードの変形や脱落から、オイルの供給不足が起こり、摺動部の異常磨耗や焼き付などの問題が発生していた。そこで、オイルブレードのような特殊な部品を必要としないオイル供給機構が必要であった。
【特許文献１】実公平１−３０６３１号公報
【発明の開示】
【発明が解決しようとする課題】
【０００３】
従来の圧縮機では、オイルを上昇させるオイルブレードに異物が噛み込んだ場合、オイルブレードの変形や脱落などが発生していた。このため、圧縮機構部の摺動部に十分なオイルを供給することができなくなり、摺動部の異常磨耗や焼き付などの問題につながっていた。
【０００４】
本発明は上記事情に基づきなされたものであり、その目的とするところは、オイルブレードのような特殊な部品を必要とせず、信頼性が高く、かつ安定したオイル供給が可能な給油機構を備えた密閉型圧縮機を提供するものである。
【課題を解決するための手段】
【０００５】
上記目的を満足するため、本発明の密閉型圧縮機は、回転軸内部にオイルを吸い上げるためのらせん状のオイル溝を設ける。
【発明の効果】
【０００６】
本発明によれば、異物による給油機構の変形や脱落が起こらないため、摺動部に安定してオイルを供給することができる。
【発明を実施するための最良の形態】
【０００７】
（実施の形態１）
以下、本発明の実施の形態を図１〜図２に基づいて詳細に説明する。図１は、本発明の密閉型圧縮機の給油装置の一実施形態を説明する説明図であり、図２は、図１に示した密閉型圧縮機の給油装置の回転軸および給油孔の断面構造を示す説明図である。１は密閉容器で、この容器内には電動機２と、この電動機２の下側に配置される圧縮機構部３と、電動機２の回転力を圧縮機構部３に伝える回転軸４とが収納されている。密閉容器１内には底部にオイル５が設けられている。電動機２  は内部に巻線６を備えた固定子７と、この固定子の内側に配置されて中央に回転軸４を挿着した回転子８とで構成されている。回転軸４は中空となっており、内壁に沿ってらせん状のオイル溝１３  が設けられている。圧縮機構部３はシリンダ９と、このシリンダ内を回転軸４の回転によって回転摺動するピストン１０と、シリンダ９の端面に取付けられた上軸受１１と、下軸受１２とで構成されている。
【０００８】
このように構成された密閉型圧縮機の給油装置において、電動機２に通電すると、回転子８および回転軸４が回転し、電動機２の回転力が圧縮機構部３に伝えられる。このとき、オイル５は回転軸４の回転により生じる遠心力とオイル５の表面張力によって、回転軸４の内壁に設けられたらせん状のオイル溝１３を伝って上昇し、給油孔１４ａおよびｂを経て、上軸受１１および圧縮機構部３の各摺動部に供給される。
【０００９】
（実施の形態２）
また、近年オゾン層保護の観点から、塩素を含まないＨＦＣ冷媒を用いた圧縮機が開発されている。当機構を有した圧縮機をこのようなＨＦＣ冷媒に用いることも可能である。
【００１０】
（実施の形態３）
また、近年地球温暖化防止の観点から二酸化炭素、ヘリウム、アンモニア等の自然冷媒を用いた圧縮機が開発されている。そのような自然冷媒を用いた圧縮機に当発明を適用することも可能である。
【００１１】
（実施の形態４）
通常圧縮機には、使用する冷媒や圧縮機構部３に用いられる材質によって様々な種類のオイルが使用されている。当発明は、圧縮機で主に用いられているナフテン油、パラフィン油、アルキルベンゼン油などの天然物あるいは天然物由来のオイル、およびポリエーテル系油、ポリオールエステル系油などの合成オイル、または上記天然物あるいは天然物由来のオイルと合成オイルの混合オイルなどにも適用することが可能である。
【００１２】
（実施の形態５）
また、機械的特性を上げるために、上記オイルに種々の添加剤を加えることがある。当発明は、ベンゾトリアゾールなどの銅不活性化剤、硫黄系極圧添加剤、ハロゲン系極圧添加剤、りん系極圧添加剤、有機金属化合物系極圧添加剤、およびこれらの組み合わせからなる極圧添加剤などを有効量配合した圧縮機にも適用することも可能である。
【産業上の利用可能性】
【００１３】
以上のように本発明にかかる密閉型圧縮機は、異物による給油機構の変形や脱落が起こらないため、摺動部に安定してオイルを供給することが可能となるので、空気調和機や冷蔵庫などの冷凍機器、除湿機や乾燥機のほかヒートポンプ式の給湯器などの用途にも適用することができる。
【図面の簡単な説明】
【００１４】
【図１】密閉型圧縮機の縦断面図
【図２】回転軸の縦断面図
【符号の説明】
【００１５】
１  密閉ケース
２  電動機
３  圧縮機構部
４  回転軸
５  オイル
６  巻線
７  固定子
８  回転子
９  シリンダ
１０  ピストン
１１  上軸受
１２  下軸受
１３  オイル溝
１４ａ  給油孔
１４ｂ  給油孔
【図１】
2009150249.tif 000003
【図２】
2009150249.tif 000004